(57)【要約】【課題】外部に露出する測定対象の通電端子部に測定用端子を安全かつ確実に接続して電圧などの測定を行えるようにする。【解決手段】外部に露出して配置された締付ネジ２４１〜２４３に電気的に接続されると共に鰐口クリップ２６１〜２６３が接続される測定側接続部５１〜５３を備えた測定用アダプタ１０であって、締付ネジ２４１〜２４３を覆うように取り付けられるカバー部材１１と、測定側接続部５１〜５３に電気的に接続され、カバー部材１１に摺動可能な状態で貫通して配置されて測定対象の締付ネジ２４１〜２４３に先端が接触する棒状部材２１〜２３と、棒状部材２１〜２３及び測定側接続部５１〜５３を覆うと共に、鰐口クリップ２６１〜２６３が挿入されて測定側接続部５１〜５３に接続できる開口部７１〜７３を備えた被覆部材３０と、棒状部材２１〜２３を締付ネジ２４１〜２４３に向け押圧するコイルスプリング４１〜４３とを備える。【選択図】図３
2008180680.tif 000002
【特許請求の範囲】
【請求項１】
測定対象に取り付けられ、測定対象の外部に露出して配置された通電端子部に電気的に接続されると共に測定機器の測定用端子が接続される測定側接続部を備えた測定用アダプタであって、
前記通電端子部を覆うように前記測定対象に取り付けられるカバー部材と、
前記測定側接続部に電気的に接続されると共に、前記カバー部材の前記通電端子部に対応する個所に摺動可能な状態で貫通して配置され、前記測定対象の通電端子部に先端が接触して電気的に接続される棒状部材と、
前記カバー部材の外側に設けられ、前記棒状部材及び前記測定側接続部を覆うと共に、前記の測定側接続部に対応する個所に形成され前記測定用端子が挿入されて測定側接続部に接続できる開口部を備えた被覆部材と、
前記被覆部材に配置され、前記棒状部材を前記通電端子部に向け押圧するスプリング部材と、
を備える測定用アダプタ。
【請求項２】
前記測定対象には、複数の通電端子部が設けられ、前記測定側端子部、棒状部材、開口部、及び、スプリング部材は、前記通電端子部に対応して複数配置されると共に、前記複数開設された複数の開口のうち隣り合う開口部の間には隣接した測定側接続部への測定用端子の接続を防止する隔離部を備える請求項１記載の測定用アダプタ。
【請求項３】
前記スプリング部材はコイルスプリングである請求項１又は２記載の測定用アダプタ。
【発明の詳細な説明】
【技術分野】
【０００１】
本発明は、測定用アダプタに係り、特に外部に露出する通電端子部に測定機器の測定用端子を安全に接続して電圧などの測定を行うことができる測定用アダプタに関する。
【背景技術】
【０００２】
従来、電源線を電気機器、機械装置などの負荷装置に接続する場合には、電源側と負荷側の接続端子を備えた接続設備を配置して、電源側の配線を電力側接続端子に接続し、負荷側の配線を負荷側の接続端子に接続する。
【０００３】
例えば、負荷装置に商用電源から電力が供給されている一般需用者の各戸には、使用した電力量を測定して使用した電力量に応じて課金するため、前記接続設備として電力量計を配置している。
【０００４】
図４は電力量計を示す図であり、（ａ）は正面図、（ｂ）は側面図、図５は電力量計の接続端子台を示す電力量計の正面図である。電力量計２１０は、図４に示すように、消費された供給電力量を積算して計測する本体部２２０と、商用電源と各戸の負荷装置側の配線をそれぞれ取り付ける接続端子台２３０とが備えられている。この電力量計２１０は、３相３線式のものであり、接続端子台２３０には、図５に示すように、商用電源からの入力電線２５１，２５２，２５３が接続される入力端子２３１，２３２，２３３と、負荷装置側に配置されるブレーカーへの配線２５４，２５５，２５６が接続される出力端子２３４，２３５，２３６とを備えている。そして、商用電源側の入力端子２３１，２３２，２３３と負荷装置側の出力端子２３４，２３５，２３６との間の経路に前記本体部２２０が介在するようにしている。
【０００５】
これらの端子２３１〜２３６は、接続端子台２３０上に露出されて配置されており、接続端子台２３０には、これらの端子２３１〜２３６を覆う絶縁カバー２５０が設けられ、この絶縁カバー２５０を取り付けた状態では外部から各端子２３１〜２３６に接触できないようになっている。そして、各端子２３１〜２３６に測定機器の測定用端子を接続するときには、前記絶縁カバー２５０を接続端子台２３０から取り外して端子２３１〜２３６を外部に露出させるようにしている。
【０００６】
また、このような電力量計２１０にあっては、各端子２３１〜２３６への配線２５１〜２５６の接続は、配線２５１〜２５６の端部の被覆を剥いで露出させた芯線を接続台の端子２３１〜２３６に取り付け、２個ずつ設けられた締付ネジ２４１，２４２，２４３，２４４，２４５，２４６で端子２３１〜２３６を締め付けることにより行うものとしている。
【０００７】
このような電力量計２１０にあっては、接続端子台の端子２３１〜２３６にコネクタを取り外し可能に配置し、このコネクタに入力電線や出力電線を接続することにより、電線どうしの短絡事故を防止しつつ、電線の交換作業などを安全に行う技術が提案されている（例えば特許文献１参照）。
【０００８】
ところで、このような電力量計２１０では、商用電源から適正な電圧で電力供給がなされているか否かを確認することがあり、このような場合には、接続端子台２３０から絶縁カバー２５０を外して露出させた入力端子２３１，２３２，２３３に電圧計を接続して電圧測定を行う。この接続端子台２３０において電圧を測定する場合には、図６に示すように、入力端子に入力電線を固定するための締付ネジ２４１，２４２，２４３の頭部に電圧計からの鰐口クリップ２６１，２６２，２６３を接続するようにしている。
【０００９】
また、端子ユニットにアダプタを装着して鰐口クリップを接続しやすくする技術が提案されている。特許文献２には、導通試験用アダプタとして、複数の導線挿入孔を有する端子台の各導線挿入孔にそれぞれ挿入可能な複数本の導電性ピンと、該複数本の導電性ピンを、前記導線挿入孔のピッチとほぼ等しいピッチで並びかつ各基端部が露出した状態で一括して支持する非導電性のホルダと、を備えているものが記載されている。特許文献２に記載のアダプタによれば、ホルダを摘んで各導電性ピンを各導線挿入孔に位置合わせし、ホルダを前進させると、各導電性ピンをその先端部側より各導線挿入孔に同時にそれぞれ挿入して装着でき、各導電性ピンの基端部とテスター等の試験機器とをコードを介して接続することにより導通試験を行える。
【００１０】
【特許文献１】特開２００３−２４８０２０号公報
【特許文献２】特開２０００−２７００７３号公報
【発明の開示】
【発明が解決しようとする課題】
【００１１】
しかしながら、特許文献１に記載のコネクタは、端子と電線の接続作業を容易にするだけであって、その入力端子の締付ネジの頭部が端子表面から小さく突出するだけに過ぎないので鰐口クリップを確実に固定することができず外れやすいという問題を解決できない。
【００１２】
また、この入力端子は、鰐口クリップをその並列方向に開口させて接続することができるから、隣接して配置される２個所の端子に鰐口クリップが同時に接触して短絡事故を発生してしまう可能性ある。このため、このような電圧測定では、短絡事故を起こさないように細心の注意を払って作業を行わなければならず作業効率が良好ではないという課題があった。
【００１３】
また、特許文献２に記載のアダプタにあっては、鰐口クリップをピン形状の接続部に接続するように構成されているため、すぐに外れてしまうという課題は解決できるものの、鰐口クリップを２個所の接続ピンに接触させて短絡事故を起こしてしまうというおそれは解消できていない。
【００１４】
そこで本発明は、外部に露出する通電端子部に測定用端子を安全かつ確実に接続して電圧などの測定を行うことができる測定用アダプタを提供することを目的とする。
【課題を解決するための手段】
【００１５】
本発明において上記の課題を解決するための手段は、測定対象に取り付けられ、測定対象の外部に露出して配置された通電端子部に電気的に接続されると共に測定機器の測定用端子が接続される測定側接続部を備えた測定用アダプタであって、前記通電端子部を覆うように前記測定対象に取り付けられるカバー部材と、前記測定側接続部に電気的に接続されると共に、前記カバー部材の前記通電端子部に対応する個所に摺動可能な状態で貫通して配置され、前記測定対象の通電端子部に先端が接触して電気的に接続される棒状部材と、前記カバー部材の外側に設けられ、前記棒状部材及び前記測定側接続部を覆うと共に、前記の測定側接続部に対応する個所に形成され前記測定用端子が挿入されて前記測定側接続部に接続できる開口部を備えた被覆部材と、前記棒状部材に配置され、前記棒状部材を前記通電端子部に向け押圧するスプリング部材と、を備える測定用アダプタである。
【発明の効果】
【００１６】
本発明によれば、測定用アダプタを測定対象に取り付けると、カバー部材が導通端子部を覆い隠す状態となる一方、棒状部材がスプリング部材で押圧されて通電端子部と接触して、測定側接続部が導通端子部と電気的に接続される。棒状部材は、スプリング部材で押圧されるため、導通端子部と良好に導通状態となる。また、この状態で、充電部分である導通端子部、測定側接続部はカバー部材及び被覆部材に覆われ外部に充電部分が露出することがなくなる。また、測定用端子は被覆部材の開口部を通して測定側接続部に容易に接続されるため、測定用アダプタの他の部分に接触することが防止され、短絡事故を確実に防止することができ、外部に露出する通電端子部に測定機器の測定用端子を安全かつ確実に接続して電圧などの測定を行うことができる。
【発明を実施するための最良の形態】
【００１７】
以下本発明に係る測定用アダプタの実施の形態を図１乃至図３に基づいて説明する。図１は実施の形態例に係る測定用アダプタを取り付けた電力量計を示すものであり、（ａ）は正面図、（ｂ）は（ａ）中のＡ−Ａ線に相当する断面図である。測定対象である電力量計２１０は図４及び図５に示したものと同一の３相３線式のものであり、電力量計２１０は、本体部２２０及び接続端子台２３０を備える。また、接続端子台２３０には、図５に示したものと同様に、商用電源からの入力電線２５１，２５２，２５３が接続される入力端子２３１，２３２，２３３と、負荷装置側に配置されるブレーカーへの出力電線２５４，２５５，２５６が接続される出力端子２３４，２３５，２３６とを備えている。そして、商用電源側の入力端子２３１，２３２，２３３と負荷装置側の出力端子２３４，２３５，２３６との間の経路に前記本体部２２０が介在するようにしている。
【００１８】
本例では、電力量計２１０の接続端子台２３０には、実施の形態に係る測定用アダプタ１０が取り付けられている。この測定用アダプタ１０は、電力量計２１０の接続端子台２３０に配置された測定用アダプタ１０を接続端子台２３０に取り付けて、商用電源から適正な電圧で電力供給がなされているか否かを確認するものである。このため、測定用アダプタ１０は接続端子台２３０に配置された入力端子２３１，２３２，２３３について電圧測定を行えるようになっている。
【００１９】
次に測定用アダプタについて説明する。図２は実施の形態例に係る測定用アダプタの構成を示すものであり、（ａ）は正面図、（ｂ）は（ａ）中のＡ−Ａ線に相当する断面図、図３は実施の形態例に係る測定用アダプタの図２（ａ）中のＢ−Ｂ線に相当する断面図であり、（ａ）は測定用アダプタを電力量計に取り付ける前の状態を示し、（ｂ）は測定用アダプタを電力量計に取り付けた状態を示すものである。
【００２０】
測定用アダプタ１０は、電力量計２１０の接続端子台２３０に取り付けられる合成樹脂板であるカバー部材１１と、このカバー部材１１の外側に配置された同じく合成樹脂箱対である被覆部材３０とを筐体として備える。
【００２１】
そして、測定用アダプタ１０は、筐体内に棒状部材２１，２２，２３及びこの棒状部材２１，２２，２３に小径で柔軟なケーブル５７，５８，５９で電気的に接続され、棒状部材２１，２２，２３に対して直交する方向に延設された測定側接続部５１，５２，５３を配置して構成されている。
【００２２】
カバー部材１１は、緩衝材及び防水材としてのゴム板１２を介してビス１３で接続端子台２３０に取り付けられる。これにより、カバー部材１１は、接続端子台２３０の外部に露出して配置された通電端子部である入力端子２３１，２３２，２３３及び締付ネジ２４１，２４２，２４３を覆い隠す。
【００２３】
測定側接続部５１，５２，５３は、電圧計の測定用端子としての鰐口クリップが挟まれて接続されるものであり、例えば銅板などの金属板で構成され、鰐口クリップを挟みやすい平板形状に形成されている。
【００２４】
棒状部材２１，２２，２３は、例えば真鍮製の針状部材であり、その入力端子２３１，２３２，２３３側の先端を截頭円錐形状とされ、前記カバー部材１１の前記入力端子２３１，２３２，２３３に対応する個所に入力端子２３１，２３２，２３３に向け摺動可能な状態で貫通して配置されている。
【００２５】
また、被覆部材３０は、前記棒状部材２１，２２，２３の頭部を摺動可能に保持する保持部３１，３２，３３が形成されている他、及び前記測定側接続部５１，５２，５３が接続される棚状部６０が形成されている。測定側接続部５１，５２，５３は、棚状部６０にビス５４，５５，５６、ナット６１，６２，６３で６０に取り付けられる。なお、符号６４，６５，６６はワッシャであり、このワッシャ６４，６５，６６には前記ケーブル５７，５８，５９が取り付けられている。
【００２６】
また、被覆部材３０には、前記の測定側接続部５１，５２，５３に対応する個所に形成され前記鰐口クリップが挿入されて測定側接続部５１，５２，５３に接続できる開口部７１，７２，７３が形成されている。開口部７１と開口部７２の間及び開口部７２及び開口部７３の間には、鰐口クリップが隣接した測定側接続部への接触を防止する隔離部である隔離壁部７４，７５が形成されている。
【００２７】
また、棒状部材２１，２２，２３にはその被覆部材３０の内側に鍔部材２４，２５，２６が形成されており、この鍔部材２４，２５，２６は、棒状部材２１，２２，２３の抜け止めをなす他、前記ケーブル５７，５８，５９が接続されている。そして、棒状部材２１，２２，２３には、コイルスプリング４１，４２，４３が前記鍔部材２４，２５，２６と保持部３１，３２，３３の間に圧縮状態で配置されている。このため、棒状部材２１，２２，２３は、カバー部材１１から突出する方向に締付ネジ２４１，２４２，２４３側に付勢されている。本例では、コイルスプリングを使用しているため、棒状部材２１，２２，２３のストロークを大きく確保することができる。
【００２８】
次に本例に係る測定用アダプタ１０を電力量計２１０に適用する場合を図３（ａ），（ｂ）に基づいて説明する。なお、測定用アダプタ１０は予め電力量計２１０に取り付けておくことができる他、既存の電力量計２１０に配置された絶縁カバー２５０（図４参照）に換えて電力量計２１０に取り付けることができる。
【００２９】
いずれの場合にも、測定用アダプタ１０を接続端子台２３０に取り付けるときには、図３（ａ）に示すように、棒状部材２１，２２，２３の先端が締付ネジ２４１，２４２に接触するように、測定用アダプタ１０を電力量計２１０の接続端子台２３０に固定する。測定用アダプタ１０を接続端子台２３０にビス１３を用いて取り付けると、棒状部材２１，２２，２３がコイルスプリング４１，４２，４３で締付ネジ２４１，２４２側に付勢されているので、棒状部材２１，２２，２３は締付ネジ２４１，２４２，２４３に安定して接触し、締付ネジ２４１，２４２，２４３と測定側接続部５１，５２，５３とは導通状態となる。この状態では、充電部である測定側接続部５１，５２，５３は、被覆部材３０に覆われて、外部からは、開口部７１，７２，７３から伺うことができるものの、例えば手指で接触することはできない状態となる。このため、絶縁カバー２５０を取り付けた状態と同様に充電部を露出させることを防止することができる。
【００３０】
電圧測定のため、鰐口クリップ２６１を入力端子２３１に接続された測定側接続部５１に接続するには、図３（ｂ）に示すように、鰐口クリップ２６１を開口部７１に挿入して測定側接続部５１に挟むようにする。同様に、測定側接続部５２，５３に鰐口クリップを接続するには、鰐口クリップを開口部７２，７３に挿入して測定側接続部５２，５３を挟むようにすればよい。
【００３１】
以上のように、本例に係る測定用アダプタ１０によれば、電圧計などの測定機器により、電力量計２１０に供給されている電力の電圧を容易に測定することができる。
【００３２】
また、本例によれば、隣り合う開口部７１、開口部７２の間及び開口部７２、開口部７３の間には隔離壁部７４，７５が配置されているので、鰐口クリップを隣接する他の測定側接続部５１，５２，５３に接続するおそれや、２つの測定側接続部に１つの鰐口クリップを接続するおそれがなくなり、誤接続や、短絡事故を有効に防止することができる。
【図面の簡単な説明】
【００３３】
【図１】実施の形態例に係る測定用アダプタを取り付けた電力量計を示す図であり、（ａ）は正面図、（ｂ）は側面図である。
【図２】実施の形態例に係る測定用アダプタの構成を示す図であり、（ａ）は正面図、（ｂ）は（ａ）中のＡ−Ａ線に相当する断面図である。
【図３】実施の形態例に係る測定用アダプタの電力量計への取り付け状態を示す図２（ａ）中のＢ−Ｂ線に相当する断面図であり、（ａ）は電力量計への取り付け前の状態を示すものであり、（ｂ）は電力量計へ取り付けた状態を示すものである。
【図４】本発明に係る測定用アダプタが適用される電力量計を示す図であり、（ａ）は正面図、（ｂ）は側面図である。
【図５】電力量計の接続端子台において、絶縁カバーを取り外した状態を示す正面図である。
【図６】電力量計の入力端子締め付け用締付ネジに鰐口クリップを取り付けた状態を示す斜視図である。
【符号の説明】
【００３４】
１０  測定用アダプタ
１１  カバー部材
２１，２２，２３  棒状部材
３０  被覆部材
４１，４２，４３  コイルスプリング（スプリング）
５１，５２，５３  測定側接続部
７１，７２，７３  開口部
７４，７５  隔離壁部
２１０  電力量計（測定対象）
２３１，２３２，２３３  入力端子（通電端子部）
２４１，２４２，２４３  締付ネジ（通電端子部）
２６１，２６２，２６３  鰐口クリップ（測定用端子）
【図１】
2008180680.tif 000003
【図２】
2008180680.tif 000004
【図３】
2008180680.tif 000005
【図４】
2008180680.tif 000006
【図５】
2008180680.tif 000007
【図６】
2008180680.tif 000008